(57)【要約】【課題】入浴室本体をボックス型にし、浴室内に放射体岩盤層を備えた座部を配設した構成とすることで、誰でもが気軽に利用でき、圧迫感がなくリラックス性、プライバシー性、設置性に優れると共に、なおかつ浴室内から加湿器をメンテナンスする構成としたことで、設置性、有用性、衛生性に優れ、個人宅或いはホテル等の既存の施設に容易に据え置き設置できるボックス型岩盤浴室を提供することを目的とする。【解決手段】据え置き可能な大きさでボックス型に形成された浴室本体と、座面部と背もたれ部とを備えて浴室本体内空間を入浴室と制御室とに仕切るように浴室本体内に配設された座部と、制御室に配設された加湿器と、入浴室の壁面に埋設された壁面加熱部と、座部の座面部と背もたれ部の表面に形成された遠赤外線等の電磁波を放射する座部放射体岩盤層と、座部放射体岩盤層の裏面側に埋設された座部加熱部と、を備えている。【選択図】図２
0003132918.tif 000002
【実用新案登録請求の範囲】
【請求項１】
据え置き可能な大きさでボックス型に形成された浴室本体と、座面部と背もたれ部とを備えて前記浴室本体内空間を入浴室と制御室とに仕切るように前記浴室本体内に配設された座部と、前記制御室に配設され前記入浴室を加湿する加湿器と、前記入浴室の壁面に埋設された壁面加熱部と、前記座部の少なくとも前記座面部と前記背もたれ部の表面に形成された遠赤外線等の電磁波を放射する座部放射体岩盤層と、前記座部放射体岩盤層の裏面側に埋設された前記座部放射体岩盤層を加熱する座部加熱部と、を備えていることを特徴とする据え置き式のボックス型岩盤浴室。
【請求項２】
前記入浴室の床となる床部の表面に形成された遠赤外線等の電磁波を放射する床部放射体岩盤層と、前記床部放射体岩盤層を加熱する前記床部に埋設された床部加熱部と、を備えていることを特徴とする請求項１に記載のボックス型岩盤浴室。
【請求項３】
前記壁面加熱部の外側に配設された壁面部断熱材層と、前記壁面加熱部の内側に配設された壁面部保護層と、前記壁面部保護層の内側に形成された遠赤外線を放射する放射体の粉末を含有してなる遠赤外線放射層と、を備えていることを特徴とする請求項１又は２に記載のボックス型岩盤浴室。
【請求項４】
前記制御室に設置された前記加湿器を前記入浴室内からメンテナンスできるように前記座部に開閉手段を備えていることを特徴とする請求項１乃至３の内いずれか１項に記載のボックス型岩盤浴室。
【請求項５】
前記制御室に外気を導入できるように前記制御室の周壁に形成された吸気部と、前記入浴室内の空気を排出できるように前記浴室本体の壁面上部に形成された排気部と、を備えていることを特徴とする請求項１乃至４の内いずれか１項に記載のボックス型岩盤浴室。
【請求項６】
前記座面部、背もたれ部、床部の内の１以上の上面に脱着自在に敷設された遠赤外線等の電磁波を放射する放射体シートを備えていることを特徴とする請求項１乃至５の内いずれか１項に記載のボックス型岩盤浴室。
【請求項７】
前記入浴室内に青色のＬＥＤ照明を備えていることを特徴とする請求項１乃至６の内いずれか１項に記載のボックス型岩盤浴室。
【考案の詳細な説明】
【技術分野】
【０００１】
本考案は、個人の家或いはホテル等の既存の施設に据え置き設置される遠赤外線効果を利用した岩盤浴室に関するものである。
【背景技術】
【０００２】
近年、遠赤外線を放射することができる礫岩ホルンヘルス（天照石）、ラドン鉱石、長石、電気石（トルマリン石）、ラジウム鉱石、麦飯石、花崗岩等の自然鉱石の岩盤を利用した岩盤浴施設が人気を博している。
こうした背景をうけて、岩盤浴施設ではなく自宅で岩盤浴を楽しみたいというニーズや、個室感覚で楽しみたいというニーズ、ホテル等の施設内に低予算で岩盤浴を導入したいというニーズ、高齢者や体の不自由な人でも自力で気軽に入浴したいというニーズが高まっており、個人用のサウナ（岩盤浴）室が検討されている。
従来の個人用のサウナとしては、（特許文献１）や（特許文献２）の実施例１および３のごとく岩盤浴施設のようにベッド上に横臥して入浴するものがほとんどである。
また、（特許文献２）の実施例２には、着座した状態で使用できる円筒形のカプセル式サウナが開示されている。
また、（特許文献３）には、座面と後方へ傾斜させた背面とボックス本体前面に前面にふくらみを設けた扉を備えた、着座して顔を浴室外に出した状態で使用する家庭用ミストサウナが開示されている
【特許文献１】特開２００７−７１４１号公報
【特許文献２】特開２００６−１５００５７号公報
【特許文献３】実用新案登録第３１２９４７６号公報
【考案の開示】
【考案が解決しようとする課題】
【０００３】
しかしながら上記従来の技術は、以下のような課題を有していた。
（１）（特許文献１）および（特許文献２）の実施例１および３では、ベッド上に横臥して入浴する為、床面積を占有し、個人用としては日本の住宅事情では場所を確保するのが難しいという問題や、ホテル等の施設用としては複数台並べて設置するには入浴室に出入する為の通路の確保も必要で、狭いスペースでもなるべく多くの台数を設置するのは難しいという問題があり、設置性に欠けるという課題があった。また、高齢者や体の不自由な人が入浴する場合、横臥して起き上がるのはつらいという人がおり、ユーザーフレンドリー性に欠けるという課題があった。また、カプセル状で狭く、身動きもとれないため圧迫感があり充分なリラックス効果が得られず、リラックス性に欠けるという課題があった。
（２）（特許文献２）の実施例２は、ボイドチューブを利用する点でコストを安くできる利点と意匠的な効果があるものの円筒形であるがゆえに、ホテル等の施設用として狭いスペースに複数台並べて設置するには納まりが悪く、また加湿器のメンテナンスの為に背面にスペースを確保しなければならない問題があり、設置性に欠けるという課題があった。また、ボイドチューブの寸法は規定があるので、決まった寸法でしか製造することができず、汎用性に欠けるという課題があった。
（３）（特許文献３）は、顔を出して入浴する為に首元から蒸気が多量に漏れ易く室内に充満し、それがカビの原因になるので衛生性に欠けるという課題があった。また、入浴中は着座した状態を常に保つ必要があり、身動きがとれない圧迫感により充分なリラックス効果が得られず、リラックス性に欠けるという課題があった。また、施設内に並べて設置して使用するには顔が見えるので好ましくなく、プライバシー性に欠けるという課題があった。
【０００４】
本考案は上記従来の課題を解決するもので、入浴室本体をボックス型にし、浴室内に座部を有する構成とすることで、誰でもが気軽に利用でき、圧迫感がなくリラックス性、プライバシー性、設置性に優れ、なおかつ浴室内から加湿器をメンテナンスする構成としたことで、設置性、有用性に優れ、衛生的なボックス型岩盤浴室を提供することを目的とする。
【課題を解決するための手段】
【０００５】
上記従来の課題を解決するために本考案のボックス型岩盤浴室は、以下の構成を有している。
本考案の請求項１に記載のボックス型岩盤浴室は、据え置き可能な大きさでボックス型に形成された浴室本体と、座面部と背もたれ部とを備えて前記浴室本体内空間を入浴室と制御室とに仕切るように前記浴室本体内に配設された座部と、前記制御室に配設され前記入浴室を加湿する加湿器と、前記入浴室の壁面に埋設された壁面加熱部と、前記座部の少なくとも前記座面部と前記背もたれ部の表面に形成された遠赤外線等の電磁波を放射する座部放射体岩盤層と、前記座部放射体岩盤層の裏面側に埋設された前記座部放射体岩盤層を加熱する座部加熱部と、を備えた構成を有している。
この構成により、以下のような作用が得られる。
（１）浴室本体が据え置き可能な大きさのボックス型であるので、複数台を並べて設置しやすく設置性に優れる。
（２）据え置き可能な大きさでボックス型に形成された浴室本体に、座面部と背もたれ部とを備えた座部が浴室本体内に配設されているので、着座した入浴状態においては天井が高く感じられ、圧迫感がなくゆとりがあって落ち着きのあるボックス型の空間内で入浴ができるので、リラックス性に優れるとともに、ある程度ゆとりのある入浴室内で着座しやすいスペースが確保でき高齢者や体の不自由な人でも着座・起立がしやすくユーザーフレンドリー性に優れる。
（３）浴室本体内空間を入浴室と制御室とに仕切るように浴室本体内に座部を配設することで制御室を形成しているので省スペース性に優れる。
（４）入浴室の加湿を行う加湿器を備えることにより、入浴室内部の湿度を調整することができ、入浴室内の空気に遠赤外線を吸収させ、遠赤外線効果を向上させることができると共に、加熱部の設定温度を低くすることができ、省エネルギー性に優れる。
（５）入浴室の加湿を行う加湿器を備えることにより、入浴室内の湿度の管理が容易で常に湿度を一定に保つことができ、信頼性に優れる。
（６）座部の少なくとも座面部と背もたれ部の表面に遠赤外線等の電磁波を放射する座部放射体岩盤層が形成されるとともに座部放射体岩盤層を加熱する座部加熱部が座部放射体岩盤層の裏面側に埋設されているので、座部加熱部の熱に加えて座部放射体岩盤層からは遠赤外線が発生し、熱及び遠赤外線の両方が入浴者を温めるため、壁面加熱部と座部加熱部の設定温度を低くすることができ、省エネルギー性に優れる。
（７）座部放射体岩盤層の遠赤外線の効果で壁面加熱部と座部加熱部の温度を低くできるため、低温で入浴することができ、高齢者や高血圧等の患者も利用でき汎用性に優れる。
【０００６】
ここで、浴室本体としては略立方体状や略直方体状のボックス型に形成されたものが用いられる。入口扉部を座部の正面側もしくは左右側の壁に設けることができるが、省スペース性の観点から座部の正面側の壁に入口扉部を設けるのが好ましい。入口扉部としては密閉性が確保できる扉であればどのようなものにしても良い。浴室用のものや、勝手口等に使用される既製品のドアを利用すると密閉性に優れる。特に、軽い素材で小さめの扉に形成すると、省スペース性や運搬性を向上できる。
【０００７】
座部は、左右側の壁との間を橋渡しするように隙間なく配設すると無駄な隙間がなく省スペースで、清掃も容易である。同様の理由で背もたれ部も背面側の壁との間に隙間がないようにすると良い。また、座部により浴室本体内空間を入浴室と制御室とに仕切ることになるので、座部には断熱材を埋設すると、入浴室の熱が制御室へ逃げ難く、効率よく入浴室内を加熱することができ、省エネルギー性に優れる。断熱材としては、グラスウールやロックウール等の無機繊維系、ポリスチレンフォームやウレタンフォーム等の発泡プラスチック系、木質繊維系などの断熱性の高い材料が好適に用いられる。特に発泡プラスチック系のものは断熱性及び耐久性に優れ好ましい。
座部の大きさとしては、１人または２人が並んで腰掛けられる程度の大きさが好ましい。設置の汎用性に優れるからである。
【０００８】
加湿器としては超音波加湿器が好適に用いられる。また、加湿器が紫外線照射ランプを備えている場合、加湿器が発する蒸気を殺菌することができ、衛生的で安全性に優れる。
加湿器には給水タンクが連設される。給水タンクは固定式でもよいし、着脱自在なカートリッジ式でもよい。給水タンクが着脱自在なカートリッジ式の場合、給水タンクを着脱して容易に給水を行うことができ、取扱い性に優れる。
入浴室内の湿度は７０％〜９５％が好ましい。入浴室内の湿度が７０％より低くなるにつれ、入浴室内の湿気が不足して遠赤外線が室内の空気に吸収され難くなり、十分な遠赤外線効果が得られなくなる傾向があり、湿度が９５％より高くなるにつれ、入浴者が不快感を感じ易くなる傾向があり、いずれも好ましくない。
入浴室の壁面と座部に埋設される加熱部としては、電熱式の面状ヒータが好適に用いられる。軽量で嵩張らず、省スペース性、加工性及び可撓性に優れ、生産性を向上できるためである。
また、加熱部の表面に炭素繊維やセラミック粉末を塗布したものや加熱部の上部に遠赤外線等の電磁波を放射する放射体を敷設した場合、加熱部の熱と遠赤外線の両方で入浴者の体を温めることができ、岩盤浴効果を向上させることができる。
【０００９】
座部の表面に形成される座部放射体岩盤層に使用される放射体の材料としては、礫岩ホルンフェルス（天照石）、ラドン鉱石、長石、電気石（トルマリン石）、ラジウム鉱石、麦飯石、花崗岩等の自然鉱石、石英、シリカ、人工セラミックスなどが用いられる。礫岩ホルンフェルス（天照石）は、遠赤外線放射物質中でも高い遠赤外線放射量を持つが、特に水に吸収され易い６μｍ〜１３μｍの波長の遠赤外線の発生割合が高いことが知られており、水に吸収され易い波長の遠赤外線が体内の白血球やリンパ球を活性化させ過酸化脂質形成を抑制し、アトピー性皮膚炎などの皮膚病や癌細胞増殖の抑制に強い効果がみられるため、好適に用いられる。また、礫岩ホルンフェルス（天照石）を用いると遠赤外線の放射量が多いので、湿度を７０％〜９５％とすることにより室内の湿気の水分が遠赤外線の作用で、低温で十分な岩盤浴効果を得ることができる。特に、水の厚さが１μｍ〜１０μｍでは遠赤外線吸収の選択性があるので、水蒸気（単分子状）に遠赤外線が吸収され、岩盤浴効果を高めることができる。
放射体岩盤層を形成するにあたっては、前述の放射体の岩盤を平板状に切断研磨するか、もしくは前述の放射体を破砕して得られた破砕物とセメント等と混和したり焼結したりして岩盤状やタイル状に成形したものや、玉石を直接敷設するようにしてもよい。
入浴室内の温度は３５℃〜６０℃好ましくは３５℃〜５０℃に設定するのが好ましい。入浴室内の温度が３５℃より低くなるにつれ温熱効果、遠赤外線効果が不足し、発汗作用が不十分となって岩盤浴効果が得られ難くなる傾向があり、５０℃より高くなるにつれ高齢者や子供、女性など高温に弱い入浴者の利用が困難となって汎用性に欠ける傾向があり、いずれも好ましくない。
【００１０】
本考案の請求項２に記載の考案は、請求項１に記載のボックス型岩盤浴室であって、前記入浴室の床となる床部の表面に形成された遠赤外線等の電磁波を放射する床部放射体岩盤層と、前記床部放射体岩盤層を加熱する前記床部に埋設された床部加熱部と、を備えた構成を有している。
この構成により、請求項１で得られる作用に加え、以下のような作用が得られる。
（１）床部に床部放射体岩盤層と床部加熱部を有するので、足先から遠赤外線効果で体を効率的に暖めることができ、早期に発汗作用が得られ省エネルギー性に優れる。
（２）床部の表面に床部放射体岩盤層が形成されているので、全身のつぼが集約される足裏に放射体が直接作用し、健康促進効果が得られる。
【００１１】
ここで、加熱部や放射体の材料としては、入浴室の座部に使用されるものと同様のものが使用される。
床部放射体岩盤層の形成にあたっては、座部と同様なものが使用されるが、放射体の玉石を直接敷設するようにすると、凹凸が足裏を刺激してよい。
【００１２】
本考案の請求項３に記載の考案は、請求項１又は２に記載のボックス型岩盤浴室であって、前記壁面加熱部の外側に配設された壁面部断熱材層と、前記壁面加熱部の内側に配設された壁面部保護層と、前記壁面部保護層の内側に形成された遠赤外線を放射する放射体の粉末を含有してなる遠赤外線放射層と、を備えた構成を有している。
この構成により、請求項１又は２で得られる作用に加え、以下のような作用が得られる。
（１）壁面加熱部の外側に壁面部断熱材層が形成されていることにより、壁面加熱部の発する熱が入浴室の外部に逃げ難く、効率よく入浴室内を加熱することができ、省エネルギー性に優れる。
（２）壁面加熱部の内側に壁面部保護層が配設されていることにより、入浴者が直接、壁面加熱部に触れることがなく、火傷等を防止でき安全性に優れる。
（３）壁面部保護層の内側に遠赤外線を放射する放射体の粉末を含有してなる遠赤外線放射層が形成されているので、壁面加熱部の熱に加えて遠赤外線放射層からは遠赤外線が発生し、熱及び遠赤外線の両方が入浴者を温めるため、壁面加熱部の設定温度を低くすることができ、省エネルギー性に優れる。
【００１３】
ここで、外壁部断熱材層の断熱材としては、前述した座部に使用される断熱材と同様のものが使用される。加熱部についても、前述した加熱部と同様である。
壁面部保護層として、ベニヤ板等の木板や軟質性の合成樹脂シート等を配設することが好ましい。これにより、入浴者が直接、加熱部に触れることがなく、火傷等を防止でき安全性に優れる。
遠赤外線放射層の放射体の粉末としては、前述した放射体の粉末が使用される。
【００１４】
本考案の請求項４に記載の考案は、請求項１乃至３の内いずれか１項に記載のボックス型岩盤浴室であって、前記制御室に設置された前記加湿器を前記入浴室内からメンテナンスできるように前記座部に開閉手段を備えた構成を有している。
この構成により、請求項１乃至３の内いずれか１項で得られる作用に加え、以下のような作用が得られる。
（１）座部が備える開閉手段により加湿器を入浴室内からメンテナンスできるので、ボックス型岩盤浴室を施設等に並べて設置する際、入口スペース以外にメンテナンスする為のスペースを別途に確保する必要がなく、ボックス型岩盤浴室を隙間無く並べて、なおかつ施設の壁面に面して設置することが可能であり、設置性に優れる。
【００１５】
ここで、開閉手段としては、座部の座面部を蓋状にして持ち上げるようにしても良いが、座面部と背もたれ部との間に蝶番を配設して座面部または背もたれ部のどちらかを片支持扉のように開閉できるようにすると、片手でも簡単に開くことができる。特に座面部を片支持扉のように開閉できるようにすると、使用時には座面に着座するので誤って開くことがなく、また密閉性も良好で、メンテナンス時においては背もたれ部に立て掛けて保持できるので、安全性、信頼性に優れる。また、座面下の足元の壁に扉を設けても良いし、引き出しのようにして加湿器を引き出すようにしても良い。
【００１６】
本考案の請求項５に記載の考案は、請求項１乃至４の内いずれか１項に記載のボックス型岩盤浴室であって、前記制御室に外気を導入できるように前記制御室の周壁に形成された吸気部と、前記入浴室内の空気を排出できるように前記浴室本体の壁面上部に形成された排気部と、を備えた構成を有している。
この構成により、請求項１乃至４の内いずれか１項で得られる作用に加え、以下のような作用が得られる。
（１）制御室に外気を導入できるように制御室の周壁に形成された吸気部により、常に新鮮な空気を加湿して入浴室内に導入することができ、かつ、入浴室内の空気を排出できるように浴室本体の壁面上部に形成された排気部を有することにより、適切に換気を行うことができ、息苦しさがなく、衛生性、リラックス性、安全性に優れる。
（２）入浴室内の空気を排出できるように浴室本体の壁面上部に形成された排気部を有するので、施設や家屋内に設置する際に入浴室内から排出される空気を屋外等に導く排出管を容易に排気部に接続することができ、設置作業性に優れるとともに、カビの原因となる湿気を屋内に溜めないので、衛生性に優れる。
【００１７】
ここで、吸気部や排出部としては、壁面に単純に小さな穴を複数開けたり、やや大きめの円筒の内側にメッシュ材や横桟が形成されているものを壁面に配設する等、埃や異物、生物が制御室や入浴室内へ入りにくい様にすることが好ましい。後者の場合の方が浴室内から排出される空気を屋外等に導く排出管を容易に排気部に接続することができ、設置性に優れる。また、吸気や排出する量を調整できるようにブロワ式にして、換気量を制御できるようにした場合、湿度や温度を状況に応じてより最適に調整することが可能になり、信頼性に優れる。
【００１８】
本考案の請求項６に記載の考案は、請求項１乃至５の内いずれか１項に記載のボックス型岩盤浴室であって、前記座面部、背もたれ部、床部の内の１以上の上面に脱着自在に敷設された遠赤外線等の電磁波を放射する放射体シートを備えた構成を有している。
この構成により、請求項１乃至５の内いずれか１項で得られる作用に加え、以下のような作用が得られる。
（１）座面部または背もたれ部または床部の上面に遠赤外線等の電磁波を放射する放射体シートが敷設されているので、加熱部の熱や放射体岩盤層等からの遠赤外線に加えて放射体シートから遠赤外線が発生し、多量の遠赤外線が入浴者を温めるため、岩盤浴効果を高めることができる。
（２）放射体シートが座部等に脱着自在に配設されているので、使用後等に簡単に取り外して洗浄や殺菌をすることができ、常に清潔に保って衛生性に優れる。
【００１９】
ここで、放射体シートとしては、シート状やメッシュ状の基材にセラミック粉末をバインダと共にコーティングしたり塗布したりして形成されたセラミックシート等が用いられる。
放射体シートをベッド部等に脱着自在に取り付けるための係着手段としては、面ファスナー等が用いられる。
【００２０】
本考案の請求項７に記載の考案は、請求項１乃至６の内いずれか１項に記載のボックス型岩盤浴室であって、前記入浴室内に青色のＬＥＤ照明を備えた構成を有している。
この構成により、請求項１乃至６の内いずれか１項で得られる作用に加え、以下のような作用が得られる。
（１）入浴室内に青色のＬＥＤ照明を備えていることで、入浴者に癒し効果を与え、リラックス性に優れる。
【００２１】
ここで、青色のＬＥＤ照明としては、チューブ内に一連にＬＥＤが点在するＬＥＤ照明を壁面隅部に沿って配設したり、単体のＬＥＤを壁面にちりばめるようにして配設したりしても良い。また、点滅できるようにしても良い。
【考案の効果】
【００２２】
以上のように、本考案のボックス型岩盤浴室は、請求項１に記載の考案によれば、以下のような有利な効果が得られる。
（１）浴室本体が据え置き可能な大きさのボックス型であるので、複数台を並べて設置しやすく、設置性に優れたボックス型岩盤浴室を提供することができる。
（２）据え置き可能な大きさでボックス型に形成された浴室本体に、座面部と背もたれ部とを備えた座部が浴室本体内に配設されているので、着座した入浴状態においては天井が高く感じられ、圧迫感がなくゆとりがあって落ち着きのあるボックス型の空間内で入浴ができるので、リラックス性に優れるとともに、ある程度ゆとりのある入浴室内で着座しやすいスペースが確保でき高齢者や体の不自由な人でも着座・起立がしやすくユーザーフレンドリー性に優れたボックス型岩盤浴室を提供することができる。
（３）浴室本体内空間を入浴室と制御室とに仕切るように浴室本体内に座部を配設することで制御室を形成しているので省スペース性に優れたボックス型岩盤浴室を提供することができる。
（４）入浴室の加湿を行う加湿器を備えることにより、入浴室内部の湿度を調整することができ、入浴室内の空気に遠赤外線を吸収させ、遠赤外線効果を向上させることができると共に、加熱部の設定温度を低くすることができ、省エネルギー性に優れたボックス型岩盤浴室を提供することができる。
（５）入浴室の加湿を行う加湿器を備えることにより、入浴室内の湿度の管理が容易で常に湿度を一定に保つことができ、信頼性に優れたボックス型岩盤浴室を提供することができる。
（６）座部の少なくとも座面部と背もたれ部の表面に遠赤外線等の電磁波を放射する座部放射体岩盤層が形成されるとともに座部放射体岩盤層を加熱する座部加熱部が座部放射体岩盤層の裏面側に埋設されているので、座部加熱部の熱に加えて座部放射体岩盤層からは遠赤外線が発生し、熱及び遠赤外線の両方が入浴者を温めるため、壁面加熱部と座部加熱部の設定温度を低くすることができ、省エネルギー性に優れたボックス型岩盤浴室を提供することができる。
（７）座部放射体岩盤層の遠赤外線の効果で壁面加熱部と座部加熱部の温度を低くできるため、低温で入浴することができ、高齢者や高血圧等の患者も利用でき汎用性に優れたボックス型岩盤浴室を提供することができる。
【００２３】
請求項２に記載の考案によれば、請求項１に記載の効果に加えて以下のような有利な効果が得られる。
（１）床部に床部放射体岩盤層と床部加熱部を有するので、足先から遠赤外線効果で体を効率的に暖めることができ、早期に発汗作用が得られ省エネルギー性に優れたボックス型岩盤浴室を提供することができる。
（２）床部の表面に床部放射体岩盤層が形成されているので、全身のつぼが集約される足裏に放射体が直接作用し、健康促進効果が得られるボックス型岩盤浴室を提供することができる。
【００２４】
請求項３に記載の考案によれば、請求項１又は２に記載の効果に加えて以下のような有利な効果が得られる。
（１）壁面加熱部の外側に壁面部断熱材層が形成されていることにより、壁面加熱部の発する熱が入浴室の外部に逃げ難く、効率よく入浴室内を加熱することができ、省エネルギー性に優れたボックス型岩盤浴室を提供することができる。
（２）壁面加熱部の内側に壁面部保護層が配設されていることにより、入浴者が直接、壁面加熱部に触れることがなく、火傷等を防止でき安全性に優れたボックス型岩盤浴室を提供することができる。
（３）壁面部保護層の内側に遠赤外線を放射する放射体の粉末を含有してなる遠赤外線放射層が形成されているので、壁面加熱部の熱に加えて遠赤外線放射層からは遠赤外線が発生し、熱及び遠赤外線の両方が入浴者を温めるため、壁面加熱部の設定温度を低くすることができ、省エネルギー性に優れたボックス型岩盤浴室を提供することができる。
【００２５】
請求項４に記載の考案によれば、請求項１乃至３の内いずれか１項に記載の効果に加えて以下のような有利な効果が得られる。
（１）座部が備える開閉手段により加湿器を入浴室内からメンテナンスできるので、ボックス型岩盤浴室を施設等に並べて設置する際、入口スペース以外にメンテナンスする為のスペースを別途に確保する必要がなく、ボックス型岩盤浴室を隙間無く並べて、なおかつ施設の壁面に面して設置することが可能であり、設置性に優れたボックス型岩盤浴室を提供することができる。
【００２６】
請求項５に記載の考案によれば、請求項１乃至４の内いずれか１項に記載の効果に加えて以下のような有利な効果が得られる。
（１）制御室に外気を導入できるように制御室の周壁に形成された吸気部により、常に新鮮な空気を加湿して入浴室内に導入することができ、かつ、入浴室内の空気を排出できるように浴室本体の壁面上部に形成された排気部を有することにより、適切に換気を行うことができ、息苦しさがなく、衛生性、リラックス性、安全性に優れたボックス型岩盤浴室を提供することができる。
（２）入浴室内の空気を排出できるように浴室本体の壁面上部に形成された排気部を有するので、施設や家屋内に設置する際に入浴室内から排出される空気を屋外等に導く排出管を容易に排気部に接続することができ、設置作業性に優れるとともに、カビの原因となる湿気を屋内に溜めないので、衛生性に優れたボックス型岩盤浴室を提供することができる。
【００２７】
請求項６に記載の考案によれば、請求項１乃至５の内いずれか１項に記載の効果に加えて以下のような有利な効果が得られる。
（１）座面部または背もたれ部または床部の上面に遠赤外線等の電磁波を放射する放射体シートが敷設されているので、加熱部の熱や放射体岩盤層等からの遠赤外線に加えて放射体シートから遠赤外線が発生し、多量の遠赤外線が入浴者を温めるため、岩盤浴効果の優れたボックス型岩盤浴室を提供することができる。
（２）放射体シートが座部等に脱着自在に配設されているので、使用後等に簡単に取り外して洗浄や殺菌をすることができ、常に清潔に保って衛生性に優れたボックス型岩盤浴室を提供することができる。
【００２８】
請求項７に記載の考案によれば、請求項１乃至６の内いずれか１項に記載の効果に加えて以下のような有利な効果が得られる。
（１）入浴室内に青色のＬＥＤ照明を備えていることで、入浴者に癒し効果を与え、リラックス性に優れたボックス型岩盤浴室を提供することができる。
【考案を実施するための最良の形態】
【００２９】
以下、本考案の実施の形態におけるボックス型岩盤浴室について、図面を参照しながら説明する。
（実施の形態１）
図１は実施の形態１におけるボックス型岩盤浴室を示す全体斜視図であり、図２は実施の形態１におけるボックス型岩盤浴室の断面側面図であり、図３は実施の形態１におけるボックス型岩盤浴室の断面平面図である。
まず外観について説明する。
図１中、１は実施の形態１におけるボックス型岩盤浴室、２は縦長の略立方体状のボックス型に形成された浴室本体、２ａは後述する入口扉部９と底部８を除く浴室本体２の外壁部、３は浴室本体２の正面壁、４は浴室本体２の左側壁、５は浴室本体２の右側壁、６は浴室本体２の背面壁、７は浴室本体２の天井部、８は浴室本体２の底部、９は正面壁３に配設された入口扉部、９ａは入口扉部９に配設された窓、１９は円筒内部に横桟が形成され正面壁３の上部に配設された後述する入浴室１０内の空気を外部に排出する排気部、２０は正面壁３に配設され後述する入浴室１０の温度および湿度を調節する操作部、２１は正面壁３に配設され入浴室内の照明を操作する照明スイッチである。
次に浴室内部について説明する。
図２、図３において、１０は入浴室、１１は１人または２人が並んで腰掛けられる程度の大きさで背面壁６に面して配設された入浴時に着座する座部、１２は座部１１により入浴室とは隔離された制御室、１３は制御室１２内に設置された加湿器、１４は加湿器１３に装着された給水タンク、１５は加湿器１３に接続され、加湿器１３で発生した蒸気を入浴室１０へ導くため送気管、１６は送気管１５の先端に接続されるとともに座部１１の上部に配設され入浴室１０内への蒸気を吹き出す吹出口、１７は入浴室１０の床部、１８は円筒内部に横桟が形成され背面壁６の下部に配設された制御室１２内へ空気を導入する吸気部、２２は入浴室１０の内壁面の隅に沿って配設されチューブ内に一連にＬＥＤが点在する入浴時に癒し効果をもたらす青色のＬＥＤ照明、２３は入浴室１０内を明るく照らす入浴室内灯、２４は座部１１の座面部、２５は座部１１の背もたれ部、２６は座面部２４と背もたれ部２５を支持する座部支持梁、２７は座面部２４が回動可能なように座面部２４と座部支持梁２６との間に配設された開閉手段としての蝶番、２８は座面部２４の先端の下部に配設され座面部２４を支持する座面部支持壁、２９は座部支持梁２６の両端に配設され座部支持梁２６を支持する座部支持柱、３０は背もたれ部２５の上部に配設された仕切板である。
【００３０】
浴室本体２の正面壁３に入口扉部９を配設し、入口扉部９に向かって着座するように座部１１を配設した。これにより、床部１７の面積を足を置けるだけのスペースにまで縮小することが可能となるので、設置面積も縮小され、省スペース性に優れる。
また、入口扉部９の上部に配置された入浴室内灯２３により窓９ａの外から着座した入浴者の顔の様子をうかがいやすいので、高齢者や血圧が高めの人や子供等を入浴させる際に安心して入浴させることができる。
座部１１は、図３に示すように左側壁４と右側壁５との間に隙間無く配設することで、省スペースで、かつ清掃を容易にした。
【００３１】
加湿器１３としては紫外線照射ランプを備えた超音波加湿器、或いは超音波方式と加熱方式を組み合わせたハイブリッド型のものを使用した。加湿器１３が発する蒸気を殺菌することができ、衛生的で安全性に優れるためである。また、加湿器１３に取り付けられる給水タンク１４は着脱自在なカートリッジ式とした。これにより、給水タンク１４を着脱して容易に給水を行うことができ、取扱い性、実用性に優れる。尚、給水タンク１４を固定式とし、別の容器から給水タンク１４へ水を補充するようにしてもよい。
【００３２】
次に、各部の詳細について説明する。
まず、座部の構造について詳細に説明する。
図２中、３１は座面部２４の裏面にベニヤ板等のパネル材で形成された座面部裏面板、３２はグラスウールやロックウール等の無機繊維系、ポリスチレンフォームやウレタンフォーム等の発泡プラスチック系、木質繊維系などの断熱性の高い材料で座面裏面板３１の上に配設された座部断熱材層、３３は座部断熱材層３２の上に配設された電熱式の面状ヒータで形成された座部加熱部、３４はベニヤ板等のパネル材で加熱部３３の上に形成された座部保護層、３５は座部保護層３４の上に形成され、遠赤外線等の電磁波を放射する座部放射体岩盤層、３６は木製の角材等で座面部根元に形成され座部支持梁２６との間に配設された蝶番２７が取り付けられる、蝶番取付け部、３７は木材等で座面部先端に形成された化粧板、３８は背もたれ部２５の裏面にベニヤ板等のパネル材で形成された背もたれ部裏面板、３９は背もたれ部裏面板３８の上に配設された座部断熱材層、４０は座部断熱材層３９の上に配設された座部加熱部、４１はベニヤ板等のパネル材で座部加熱部４０の上に形成された座部保護層、４２は座部保護層４１の上に形成され、遠赤外線等の電磁波を放射する座部放射体岩盤層、４３は木材等で座部保護層４１の上に座部放射体岩盤層４２と並んで形成された化粧板である。
【００３３】
座部放射体岩盤層３５、４２としては、礫岩ホルンフェルス（天照石）、ラドン鉱石、長石、電気石（トルマリン石）、ラジウム鉱石、麦飯石、花崗岩等の自然鉱石、石英、シリカ、人工セラミックスなどの放射体の岩盤を平板状に切断研磨するか、もしくは前述の放射体を破砕して得られた破砕物とセメント等と混和したり焼結したりして岩盤状やタイル状に成形したものや、玉石を直接敷設するようにしてもよいが、ここでは自然鉱石の岩盤を平板状に切断研磨したものを複数敷設して形成した。また、ここでは人体に吸収され易い８μｍ〜１４μｍの波長の遠赤外線を放射する放射体を選定した。体を芯から温めることができ、岩盤浴効果を向上できると共に、効率的で省エネルギー性に優れるからである。座部放射体岩盤層３５、４２の下層の座部保護層３４、４１の下面（座部加熱部３３、４０との当接面）に上記放射体の粉末を塗布してもよい。遠赤外線による岩盤浴効果を向上させるためである。
【００３４】
次に、床部の構造について詳細に説明する。
４４はベニヤ板や硬質樹脂板などのパネル材で形成された底板、４５はグラスウールやロックウール等の無機繊維系、ポリスチレンフォームやウレタンフォーム等の発泡プラスチック系、木質繊維系などの断熱性の高い材料で底板４４の上に配設された床部断熱材層、４６は入浴室１０の床部１７に位置するように床部断熱材層４５の上に配設された電熱式の面状ヒータで形成された床部加熱部、４７はベニヤ板等のパネル材で床部加熱部４６の上に形成された床部保護層、４８は床部保護層４７の上に形成され、遠赤外線等の電磁波を放射する床部放射体岩盤層である。
床部放射体岩盤層４８としては座部放射体岩盤層３５、４２にて説明した放射体が使用される。
【００３５】
次に、浴室本体２の外壁部２ａの構造について詳細に説明する。
５０はメラミンボードで形成された外壁部２ａの外側表面となる外装材、５１はベニヤ板等のパネル材で外装材５０の内側に形成された外板、５２はグラスウールやロックウール等の無機繊維系、ポリスチレンフォームやウレタンフォーム等の発泡プラスチック系、木質繊維系などの断熱性の高い材料で外板５１の内側に配設された壁面部断熱材層、５３は壁面部断熱材層５２の内側に配設された電熱式の面状ヒータで形成された壁面加熱部、５４はベニヤ板等のパネル材で壁面加熱部５３または壁面部断熱材層５２の内側に形成された壁面部保護層、５５は壁面部保護層５４の内側に形成され遠赤外線等の電磁波を放射する放射体の粉末を含有する塗料を塗付して形成された遠赤外線放射層である。
遠赤外線放射層５５としては座部放射体岩盤層３５、４２にて説明した放射体が使用される。
【００３６】
以上のように形成された実施の形態１におけるボックス型岩盤浴室の使用方法について、説明する。
まず照明スイッチ２１で入浴室内灯２３を点灯させ、入口扉部９を開き入浴室１０に入る。座面部２４を開き、給水タンク１４に水を給水し、座面部２４を閉じ、入浴室１０の外へ出る。入口扉部９を閉め、操作部２０で入浴室１０の温度及び湿度の設定を行う。座部加熱部３３,４０、床部加熱部４６、壁面加熱部５３により、入浴室１０内及び座部１１を加熱する。更に、座部１１と床部１７の座部加熱部３３，４０、床部加熱部４６は、座部放射体岩盤層３５，４２、床部放射体岩盤層４８を加熱し、遠赤外線等の電磁波を放射させる。また、壁面加熱部５３の発熱によっても遠赤外線放射層５５から遠赤外線等の電磁波を放射させる。また、加湿器１３が発する蒸気は送気管１５並びに吹出口１６を通って入浴室１０の内部に送気され、入浴室１０を加湿する。加湿器１３が作動することで、新鮮な外気が吸気部１８より導入され、入浴室１０からは排気部１９を通じて入浴室１０内の空気が排出される。吸入する入浴室１０の内部が設定温度及び設定湿度になったところで、照明スイッチ２１で入浴室内灯２３を消灯させ、青色のＬＥＤ照明２２を点灯させ、入口扉部９開き、入浴者が入浴室１０に入る。入口扉部９を閉め、入浴者は座部１１に着座する。
【００３７】
入浴室１０内の温度は３５℃〜６０℃好ましくは３５℃〜５０℃に設定される。また、入浴室１０内の湿度は７０％〜９５％に設定される。
座部加熱部３３，４０、床部加熱部４６、壁面加熱部５３の熱に加え、座部放射体岩盤層３５，４２、床部放射体岩盤層４８と遠赤外線放射層５５から遠赤外線等の電磁波が放射され、熱と遠赤外線の両方で入浴者を温める。また、入浴室１０を加湿することで入浴室１０内の水蒸気に遠赤外線が吸収され、遠赤外線効果を向上させることができるので、座部加熱部３３，４０、床部加熱部４６、壁面加熱部５３の温度を低く設定でき、低温で入浴することができる。
また、青色のＬＥＤ照明によって、入浴室内が幻想的な空間が演出されるとともに、青色のもつ呼吸、神経、循環、機関、精神の興奮を静める作用により入浴者の身体と心を穏やかにしてリラックスさせ、癒し効果をもたらす。
入浴者は浴衣を身につけ、座部１１にバスタオル等を敷いて入浴するので、入浴室２の内部には汗等は付着し難く、必要に応じてタオル等で座部１１を拭取る程度でよい。尚、床部１７に汚水排水孔（図示せず）を形成した場合、入浴者の汗等を洗い流して入浴室１０の外部に排出することができ、簡便に入浴室１０の内部を洗浄することができる。
【００３８】
以上のように実施の形態１におけるボックス型岩盤浴室は構成されているので、以下のような作用が得られる。
（１）浴室本体２が据え置き可能な大きさのボックス型であるので、複数の浴室を隙間なく並べて設置でき、設置性に優れる。
（２）据え置き可能な大きさでボックス型に形成された浴室本体２に、１人〜２人用の座面部２４と背もたれ部２５とを備えた座部１１が浴室本体２内に配設されているので、着座した入浴状態においては天井部７が高く感じられ、圧迫感がなくゆとりがあって落ち着きのあるボックス型の空間内で入浴ができるので、リラックス性に優れるとともに、ある程度ゆとりのある入浴室内で着座しやすいスペースが確保でき高齢者や体の不自由な人でも着座・起立がしやすくユーザーフレンドリー性に優れる。
（３）浴室本体２内空間を入浴室１０と制御室１２とに仕切るように浴室本体２内に座部１１を配設することで制御室１２を形成しているので省スペース性に優れる。
（４）入浴室１０の加湿を行う加湿器１３を備えることにより、入浴室１０内部の湿度を調整することができ、入浴室１０内の空気に遠赤外線を吸収させ、遠赤外線効果を向上させることができると共に、加熱部３３，４０，４６，５３の設定温度を低くすることができ、省エネルギー性に優れる。
（５）入浴室１０の加湿を行う加湿器１３を備えることにより、入浴室１０内の湿度の管理が容易で常に湿度を一定に保つことができ、信頼性に優れる。
（６）座面部２４と背もたれ部２５の表面に遠赤外線等の電磁波を放射する座部放射体岩盤層３５，４２が形成されるとともに座部放射体岩盤層３５，４２を加熱する座部加熱部３３，４０が座部放射体岩盤層３５，４２の裏面側に埋設されているので、座部加熱部３３，４０の熱に加えて座部放射体岩盤層３５，４２からは遠赤外線が発生し、熱及び遠赤外線の両方が入浴者を温めるため、座部加熱部３３，４０の設定温度を低くすることができ、省エネルギー性に優れる。
（７）座部放射体岩盤層３５，４２、床部放射体岩盤層４８の遠赤外線の効果で座部加熱部３３，４０、床部加熱部４６の温度を低くできるため、低温で入浴することができ、高齢者や高血圧等の患者も利用でき汎用性に優れる。
（８）床部１７に床部放射体岩盤層４８と床部加熱部４６を有するので、足先から遠赤外線効果で体を効率的に暖めることができ、早期に発汗作用が得られ省エネルギー性に優れる。
（９）床部１７の表面に床部放射体岩盤層４８が形成されているので、全身のつぼが集約される足裏に放射体が直接作用し、健康促進効果が得られる。
（１０）壁面加熱部５３の外側に壁面部断熱材層５２が形成されていることにより、壁面加熱部５３の発する熱が入浴室１０の外部に逃げ難く、効率よく入浴室１０内を加熱することができ、省エネルギー性に優れる。
（１１）壁面加熱部５３の内側に壁面部保護層５４が配設されていることにより、入浴者が直接、壁面加熱部５３に触れることがなく、火傷等を防止でき安全性に優れる。
（１２）壁面部保護層５４の表面に遠赤外線を放射する放射体の粉末を含有してなる遠赤外線放射層５５が形成されているので、壁面加熱部５３の熱に加えて遠赤外線放射層５５からは遠赤外線が発生し、遠赤外線効果に優れるとともに、熱及び遠赤外線の両方が入浴者を温めるため、壁面加熱部５３の設定温度を低くすることができ、省エネルギー性に優れる。
（１３）座部放射体岩盤層３５，４２、床部放射体岩盤層４８、遠赤外線放射層５５と加湿器１３を備えることにより、入浴室１０内の温度を低くすることができ、入浴室１０内を暖める手段として温座部加熱部３３，４０、床部加熱部４６、壁面加熱部５３に電熱式の面状ヒータを使用しているので、軽量で嵩張らず、加工性、生産性、運搬性に優れる。
（１４）座面部２４を開閉可能にしたことで、入浴室１０内から加湿器１３に給水したり、加湿器１３のメンテナンスを行なうことができるので、浴室本体２の壁面に制御室１２に通ずる扉を配設する必要がなく、施設等に複数のボックス型岩盤浴室１を設置する際、隙間無く連設した状態で背面壁６を吸気部１８に通気できる空間だけを確保して施設の壁面につけることができる。個人の住宅で使用される場合においては、狭い廊下の突き当たりや、家具と家具の間等にも設置することができ、設置性、省スペース性に優れる。
（１５）制御室１２に外気を導入できるように浴室本体２の壁面に形成された吸気部１８により、常に新鮮な空気を加湿して入浴室１０内に導入することができ、かつ、入浴室１０内の空気を排出できるように浴室本体２の壁面上部に形成された排気部１９を有することにより、適切に換気を行うことができ、息苦しさがなく、衛生性、リラックス性、安全性に優れる。
（１６）入浴室１０内に青色のＬＥＤ照明２２が設置されていることで、入浴者に癒し効果を与え、リラックス性に優れる。
【００３９】
（実施の形態２）
実施の形態２におけるボックス型岩盤浴室について、以下、図面を用いて説明する。尚、実施の形態１と同様のものには同一の符号を付して説明を省略する。
図４は実施の形態２におけるボックス型岩盤浴室の断面側面図であり、図５は実施の形態２におけるボックス型岩盤浴室の断面平面図である。
図４及び図５において、実施の形態２におけるボックス型岩盤浴室１ａが実施の形態１と異なるのは、セラミックシート等の遠赤外線等の電磁波を放射する放射体シート６０が座面部２４の上面に四隅の面ファスナー６１等で脱着自在に敷設されている点と、床部１７ａの表面となる床部放射体岩盤層４８ａが、遠赤外線等の電磁波を放射する放射体玉石６２を敷き詰めて形成されている点である。
【００４０】
ここでは放射体シート６０は座面部２４の上面のみに敷設しているが、背もたれ部２５の上面に敷設しても良いし、床部１７ａの上面に敷設して良いし、またこれら全ての上面に敷設しても良い。
放射体玉石６２の材質としては実施の形態１にて説明した座部放射体岩盤層３５、４２に使用される放射体が使用される。保護層４７の上面に水が蓄積されることになるので、この水を排水する排水穴（図示せず）を設けると、ホース等で床面に水を流して清掃できるので清掃作業性に優れるとともに衛生性に優れる。
実施の形態２におけるボックス型岩盤浴室１ａの使用方法は実施の形態１と同様なので省略する。
【００４１】
以上のように実施の形態２におけるボックス型岩盤浴室は構成されているので、実施の形態１で得られる作用に加え、以下のような作用が得られる。
（１）座面部２４の上面に遠赤外線等の電磁波を放射する放射体シート６０が敷設されているので、座部加熱部３３の熱や座部放射体岩盤層３５からの遠赤外線に加えて放射体シート６０から遠赤外線が発生し、多量の遠赤外線が入浴者を温めるため、岩盤浴効果を高めることができる。
（２）放射体シート６０が座面部２４に脱着自在に配設されているので、使用後等に簡単に取り外して洗浄や殺菌をすることができ、常に清潔に保って衛生性に優れる。
（３）床部１７ａに敷設された放射体玉石６２により床部１７ａの表面が凹凸になり、足裏にマッサージ効果を与え、健康促進効果が得られる。
【００４２】
（実施の形態３）
実施の形態３におけるボックス型岩盤浴室を備えた岩盤浴施設について、以下、図面を用いて説明する。尚、実施の形態１および実施の形態２と同様のものには同一の符号を付して説明を省略する。
図６は実施の形態３におけるボックス型岩盤浴室を備えた岩盤浴施設実施の断面平面図である。実施の形態３の岩盤浴施設は、実施の形態１または実施の形態２におけるボックス型岩盤浴室を施設屋内に連設したものである。
図６中、７０はボックス型岩盤浴室１又は１ａが設置される施設の壁面、７１はボックス型岩盤浴室１又は１ａが設置される施設の柱、７２は壁面７０を貫通して各ボックス型岩盤浴室１又は１ａの排気部１９に枝分かれして接続され各ボックス型岩盤浴室１又は１ａが排出する空気が通過する排出管、７３は排出管７２の施設屋外側先端に配設され各ボックス型岩盤浴室１又は１ａが排出する空気を施設屋外７４へ強制的に導くための送風機である。
【００４３】
ここでは、各ボックス型岩盤浴室１又は１ａの排出する空気を集約するように排出管７２を枝分かれさせて形成し、一つの送風機７３で強制的に排気しているが、各ボックス型岩盤浴室１又は１ａに対してそれぞれ一つずつ排出管７２と送風機７３を配設しても良い。排出管７２の材質や形状、配管経路や送風機７３の配設場所等は設置する場所に応じて任意に変更できる。
【００４４】
以上のように実施の形態３におけるボックス型岩盤浴室を備えた岩盤浴施設は構成されているので、実施の形態１乃至２で得られる作用に加え、以下のような作用が得られる。
（１）入浴室１０内の空気を排出できるように浴室本体２の壁面上部に形成された排気部１９を有するので、施設や家屋内に設置する際に、入浴室１０内から排出される空気を施設屋外７４に導く排出管を容易に排気部１９に容易に接続することができ、設置作業性に優れるとともに、カビの原因となる湿気を屋内に溜めないので、衛生性に優れる。
【産業上の利用可能性】
【００４５】
本考案は、個人の家或いはホテル等の既存の施設に据え置き設置される遠赤外線効果を利用した岩盤浴室に関し、省スペースで設置汎用性の高いボックス型浴室本体内で座った姿勢で入浴することで、省スペースであるにも係らず空間にゆとりを持たせてリラックス性に優れるとともに、設置自在性に優れ、低温の浴室内に入浴者の全身を収容して着座姿勢で入浴できるため、性別や年齢を問わず手軽に利用でき汎用性、省エネルギー性、ユーザーフレンドリー性、安全性に優れるボックス型岩盤浴室を提供することができ、健康増進やダイエット、温熱療法等を目的に個人の家或いは既存の施設に簡便に設置して手軽に利用することができる。
【図面の簡単な説明】
【００４６】
【図１】実施の形態１におけるボックス型岩盤浴室を示す全体斜視図
【図２】実施の形態１におけるボックス型岩盤浴室の断面側面図
【図３】実施の形態１におけるボックス型岩盤浴室の断面平面図である。
【図４】実施の形態２におけるボックス型岩盤浴室の断面側面図
【図５】実施の形態２におけるボックス型岩盤浴室の断面平面図
【図６】実施の形態３におけるボックス型岩盤浴室を備えた岩盤浴施設実施の断面平面図
【符号の説明】
【００４７】
１  実施の形態１におけるボックス型岩盤浴室
１ａ  実施の形態２におけるボックス型岩盤浴室
２  浴室本体
２ａ  外壁部
３  正面壁
４  左側壁
５  右側壁
６  背面壁
７  天井部
８  底部
９  入口扉部
９ａ  窓
１０  入浴室
１１  座部
１２  制御室
１３  加湿器
１４  給水タンク
１５  送気管
１６  吹出口
１７，１７ａ  床部
１８  吸気部
１９  排気部
２０  操作部
２１  照明スイッチ
２２  ＬＥＤ照明
２３  入浴室内灯
２４  座面部
２５  背もたれ部
２６  座部支持梁
２７  蝶番（開閉手段）
２８  座面部支持壁
２９  座部支持梁
２６  座部支持柱
３０  仕切板
３１  座面部裏面板
３２  座部断熱材層
３３  座部加熱部
３４  座部保護層
３５  座部放射体岩盤層
３６  蝶番取付け部
３７  化粧板
３８  背もたれ部裏面板
３９  座部断熱材層
４０  座部加熱部
４１  座部保護層
４２  座部放射体岩盤層
４３  化粧板
４４  底板
４５  床部断熱材層
４６  床部加熱部
４７  床部保護層
４８，４８ａ  床部放射体岩盤層
５０  外装材
５１  外板
５２  壁面部断熱材層
５３  壁面加熱部
５４  壁面部保護層
５５  遠赤外線放射層
６０  放射体シート
６１  面ファスナー
６２  放射体玉石
７０  施設の壁面
７１  施設の柱
７２  排出管
７３  送風機
７４  施設屋外
【図１】
0003132918.tif 000003
【図２】
0003132918.tif 000004
【図３】
0003132918.tif 000005
【図４】
0003132918.tif 000006
【図５】
0003132918.tif 000007
【図６】
0003132918.tif 000008